(57)【要約】【課題】高速に最適な通信チャンネルを検索することを可能にした無線通信機能を有した撮像装置を提供すること。【解決手段】複数の無線通信チャンネルの中で、任意の通信チャンネルを設定して通信相手の装置と、無線通信が可能な無線通信機能を有した撮像装置であって、無線によって、通信相手とデータの送受信を行う無線送受信手段と、通信相手と無線で通信を行う無線通信手段と、無線で通信を行う場合の通信チャンネルを設定解除する通信周波数制御手段と、撮像装置が人体によってどのように保持されているかを検出する人体検出手段と、を備え、前期人体検出手段によって検出された人体と撮像装置の関係によって、通信周波数制御手段が通信チャンネルを制御することを特徴とする構成とした。【選択図】  図１
2014171143.tif 000002
【特許請求の範囲】
【請求項１】
複数の無線通信チャンネルの中で、任意の通信チャンネルを設定して通信相手の装置と、
無線通信が可能な無線通信機能を有した撮像装置であって、
無線によって、通信相手とデータの送受信を行う無線送受信手段と、
無線で通信を行う場合の通信チャンネルを設定や解除する通信周波数制御手段と、
撮像装置が人体によってどのように保持されているかを検出する人体検出手段と、
を備え、
前期人体検出手段によって検出された人体と撮像装置の関係によって、通信周波数制御手段が通信チャンネルを制御することを特徴とする無線通信機能を有した撮像装置。
【請求項２】
前記人体検出手段によって撮像装置が人体によって閾値以上大きく覆われていることを検知した場合、前記通信周波数制御手段が、前記撮像装置の最も有利な通信周波数に通信チャンネルを移動して、通信を行うことを特徴とする請求項１に記載の無線通信機能を有した撮像装置。
【請求項３】
前記人体検出手段による人体の覆われ方と、撮像装置の種類による、適切な無線通信周波数を記憶しておき、通信周波数を移動する際に、記憶している無線通信周波数にすることを特徴とする請求項１に記載の無線通信機能を有した撮像装置。
【請求項４】
アンテナ付近にて、近接物と撮像装置との距離を測定する近接距離測定手段を有しており、
前記人体検出手段によって撮像装置が人体で保持されていることを検知して、
前記近接距離測定手段によって、近接部と撮像装置間に十分な間隔が確保されていることが検出された場合、通信周波数を移動しないことを特徴とする請求項１に記載の無線通信機能を有した撮像装置。
【請求項５】
前記無線通信手段が接続している通信相手が、アクセスポイントの場合、前記人体検出手段によって検出された結果に関わらず、通信周波数を移動しないことを特徴とする請求項１に記載の無線通信機能を有した撮像装置。
【請求項６】
前記撮像装置の鏡筒部分が凸状態である場合、前記周波数制御手段が移動する周波数を、
凸状態の場合の周波数とは異なった周波数に移動することを特徴とする請求項１に記載の無線通信機能を有した撮像装置。
【発明の詳細な説明】
【技術分野】
【０００１】
本発明は、デジタルカメラ等の撮像装置に関し、特に無線通信機能を有した撮像装置に関するものである。
【背景技術】
【０００２】
近年、無線通信により画像などのデータを送受信する無線通信手段を有したデジタルカメラが発売されている。デジタルカメラを操作する使用者の手とアンテナの位置関係によって、無線送受信の通信品質が低下することがあった。例えば、使用者がデジタルカメラの筐体を手で保持することにより、アンテナ特性の周波数特性が移動し、通信信号を送受信している周波数特性が変化して、通信品質が低下することがあった。つまり、人体とデジタルカメラの位置関係、接触程度に、通信品質に影響を及ぼすことが分かっている。
【０００３】
図３（ａ）は、通信チャンネルと通信周波数の関係を示した図である。日本では、2.4GHz帯の無線ＬＡＮに使える帯域は、2400MHzから2483.5MHzの間に、5MHz間隔で合計13チャンネルある。無線通信で利用する帯域の中心周波数が、2410MHzで通信するものを1チャンネルと規定されている。2410MHzに5MHzを加算した2415MHzが、２チャンネル、以降順に、13チャンネルまである。
【０００４】
図３（ｂ）は、デジタルカメラのアンテナ特性と周波数の関係である。アンテナ強度３１１は、製品として維持すべき基準強度である。３０１は、デジタルカメラを手で保持していない場合の、アンテナ特性である。
【０００５】
アンテナ特性は、各周波数帯域で一定の強度ではない。例えば、アンテナ特性３０１は、2483.5MHz付近で強度が高い。つまり、10-13ｃｈでアンテナ強度が高く、通信品質がいいと言える。ただし、それ以外のチャンネルであっても、基準強度３１１以上の強度を維持しており、10-13ｃｈ以外のチャンネルを選ばれても問題ない。
【０００６】
図３（ｃ）のアンテナ特性３０２は、手でデジタルカメラを保持して、アンテナ付近を手で覆った場合のアンテナ強度である。図で示すように、ピーク周波数が移行して、周波数2441MHz付近で強度が高くなっていることがわかる、手で筺体を保持することによって、アンテナの周波数特性が変化している。この理由は、デジタルカメラは外装を金属筐体で囲まれており、外装の金属筐体もアンテナとしての役割を果たしている。その外装を、容量成分を有した人体で保持することによって、アンテナの周波数特性が変化するためである。
【０００７】
また、各帯域でアンテナ強度が低下しており、基準強度３１１を維持しているは、チャンネル５〜７のみとする。
【０００８】
デジタルカメラのチャンネル設定方法は、製品ごとに様々である。複数の無線機器が近距離で同じチャンネルを選択した場合、信号電波が干渉し、通信速度が低下し、切断するという電波干渉という問題がある。電波干渉を避けるため、ランダムにチャンネルを選択する方法のデジタルカメラがある。手で保持して、チャンネル５〜７以外のチャンネルを選ばれると、通信速度の低下、通信距離の減少が想定される。つまり、例に示したデジタルカメラを、手でアンテナ付近を覆った場合、チャンネル５〜７以外のチャンネルを設定した場合、アンテナ特性が、基準強度311以下となってしまい、通信品質が低下してしまうという問題があった。
【０００９】
特許文献１では、無線通信装置において受信電界強度検知手段を有しており、受信電界強度検知手段により検知された受信電界強度に基づいて通信チャンネルの移動を行う通信チャンネル移動手段を用いる技術が開示されている。  
【先行技術文献】
【特許文献】
【００１０】
【特許文献１】特開平8-33044号公報
【発明の概要】
【発明が解決しようとする課題】
【００１１】
しかしながら、上述の特許文献に開示された従来技術では、通信チャンネルを移動した場合の受信電界強度が十分であるかは、移動してみないとわからない。移動した結果、受信電界強度が十分でない場合は、さらに通信チャンネルを移動する必要があり、最適な通信チャンネルを検索するために時間を要してしまう。
【００１２】
そこで、本発明の目的は、高速に最適な通信チャンネルを検索することを可能にした無線通信機能を有した撮像装置を提供することである。
【課題を解決するための手段】
【００１３】
上記目的を達成するために、本発明は、
複数の無線通信チャンネルの中で、任意の通信チャンネルを設定して通信相手の装置と、
無線通信が可能な無線通信機能を有した撮像装置であって、
無線によって、通信相手とデータの送受信を行う無線送受信手段と、
無線で通信を行う場合の通信チャンネルを設定解除する通信周波数制御手段と、
撮像装置が人体によってどのように保持されているかを検出する人体検出手段と、
を備え、
前期人体検出手段によって検出された人体と撮像装置の関係によって、通信周波数制御手段が通信チャンネルを制御することを特徴とする。
【発明の効果】
【００１４】
本発明によれば、高速に最適な通信チャンネルを検索することを可能にした無線通信機能を有した撮像装置を提供することができる。
【図面の簡単な説明】
【００１５】
【図１】本発明の実施例１に関わる、撮影装置を示すブロック図である。
【図２】本発明の実施例１に関わる、撮影装置を示す斜視図である。
【図３】本発明の実施例１に関わる、各チャンネルと周波数の関係と、周波数帯域におけるアンテナ効率である。
【図４】本発明の実施例１に関わる、手で保持された場合の背面図とタッチパネル部の人体の被検知領域である。
【図５】本発明の実施例１に関わる、フローチャートである。
【図６】本発明の実施例１に関わる、手と無線送信部の位置関係を計算するため区切り毎に重みづけした状態のタッチパネル部である。
【図７】本発明の実施例１に関わる、保持方法と鏡筒状態による有利な無線通信チャンネルの一覧表である。
【発明を実施するための形態】
【００１６】
以下に、本発明の好ましい実施の形態を、添付の図面に基づいて詳細に説明する。図１は、本発明の実施形態にかかわる撮像装置のブロック図である。
【００１７】
［実施例１］
以下、図１〜図５を参照して、本発明の第1の実施例について説明する。
【００１８】
図１は、本発明の実施形態にかかわる撮影装置の構成を示すブロック図である。
【００１９】
制御部111は、デジタルカメラ等の電気機器全体を制御する。デジタルカメラの場合図示しない、表示部、レンズ駆動部、撮像部、記憶媒体制御部、すべての機器を制御する。
【００２０】
メモリ部115は、制御部111のプログラム等を記憶する。
【００２１】
ボタン操作部113は、使用者がデジタルカメラを電源オンする電源ボタンや、デジタルカメラの設定を変更するために操作するボタンである。
【００２２】
タッチパネル操作部114は、指先や専用のペンで画面に触れることで入力を行う操作部品である。
【００２３】
無線送受信部112は、無線電波によって、対向機と画像やデータの送受信を行う。
【００２４】
記憶媒体122は、ＳＤカードなど、撮影装置によって撮影された画像を保存するための部品である。
【００２５】
記憶媒体データ入出力部121は、前記記憶媒体に画像を保存したり、読み込んだりするためのブロックである。
【００２６】
データバス部101は、データや制御部111の命令を通信するバスラインである。
【００２７】
鏡筒部131は、複数のレンズ群とモータから構成され、被写体を含む外光を集積し、図示しない撮像素子に結合する部分である。デジタルカメラのズーム、ワイド操作を可能にする。鏡筒部131は、物理的に長くなる。デジタルカメラの金属部のメカ形状が変化し、アンテナ素子との容量成分が変化するため、アンテナ特性、特に周波数特性が変化する。
【００２８】
近接距離測定手段141は、対象物の容量値を検出してアンテナ付近と近接物との距離を測定もしくは検出する。
【００２９】
図２（ａ）に、デジタルカメラの斜視図を示す。図２（ａ）に示すように、ボタン操作部113と、タッチパネル操作部114は、デジタルカメラ背面に配置されていることが多い。本デジタルカメラでは、図２（ａ）に示すように無線送信部112が側面に配置しているとする。
【００３０】
無線送信部112以外の面は、金属で覆われているデジタルカメラもある。
【００３１】
図２（ｂ）は、鏡筒部131が伸びた状態である。図２（ｂ）状態になった場合、デジタルカメラのメカ構造が変化して、アンテナ特性の周波数が移動する。図３のアンテナ特性303のように周波数が変化し、良好なチャンネルも移動する。図３の場合、良好なチャンネルが５チャンネル付近から、１チャンネル付近へ移動している。
【００３２】
図４に、図２に示すデジタルカメラを手で保持した場合の図を示す。図４（ａ）に示すように、左手が無線送信部112に密着した状態で保持された場合、無線送受信部112が手で塞がれた状態となる。金属筐体の外装に、手が触れることによりアンテナ部の周波数特性が変化する。なぜなら、人体は容量成分を有している。アンテナ特性は、アンテナ素子とインダクタ成分と容量成分の共振周波数によって決められている。容量成分が増加すると、共振周波数は２．４GHｚから低下する。この結果、アンテナ特性が低下する。そのため、電波強度が弱まり、通信距離の減少、通信速度の低下という現象が起こりやすい。
【００３３】
一方、図４（ｂ）のように、数ｃｍの空間を空けて保持した場合は、上記空間を電波が通過するため、通信距離の減少、通信速度の低下が起こりにくい。
【００３４】
図４（ａ）のように密着して保持されているのか、図４（ｂ）のように空間を空けて保持されているのかを、タッチパネル検出部114の検出領域の面積によって判断する。
【００３５】
図５フローチャートを用いて本発明を実施する工程を説明する。
【００３６】
デジタルカメラのボタン操作部113の電源ボタンを押下して、電源をオンする。（ステップＳ101）
デジタルカメラが無線モードであるか否かを判断する。（ステップS102）無線モードの場合、ステップS102-2へ移行する。無線モードでない場合は、ステップS109へ移行する（ステップＳ102）。
【００３７】
デジタルカメラがアクセスポイントAPと接続しているか否かを判断する。アクセスポイントと接続していない場合は、ステップS103へ移行する（ステップＳ103）。
【００３８】
アクセスポイントと接続している場合、アクセスポイントの送信電波が強く、受信感度が良好のため、デジタルカメラの電波強度が基準強度311以下であっても、通信品質が低下することがないため、通信チャンネルを移動する必要がない。
【００３９】
デジタルカメラが手で保持されているか否かを判断する。手で保持されている場合、ステップS104へ移行する。手で保持されていない場合は、ステップS109へ移行する（ステップＳ104）。
【００４０】
手で保持されていると判断した場合、無線送受信部112が手で塞がれており、アンテナの周波数特性の変化、アンテナ効率の低下が見込まれるほど、無線送受信部112が覆われている場合は、ステップS106へ移行する（ステップＳ105）。
【００４１】
次に鏡筒部131が、収納状態が、伸びている状態かを判断する。伸びている状態では、ステップS115へ移行する。手で保持されており、鏡筒部が伸びている場合の有効なチャンネルへ通信周波数を変更する。（ステップS106）
ステップS105にて、ステップS106へ移行するかどうかの判断方法例について、図６を用いて判断する。
【００４２】
図６は、判定方法を示すタッチパネル検出部の図である。
【００４３】
タッチパネル検出部を、図に示すように格子状に区切って重みづけをする。アンテナ付近では、大きな数字を重みづけし、アンテナより離れた場所では小さい数字を重みづけする。各領域で人体を検出した場合、検出した数字を加算する。加算された値が、規定値以上であれば、無線送信部112が大きく手で塞がれていると判断し、図５フローチャートにて、ステップS107、ステップS117でチャンネル変更を行う。
【００４４】
または、アンテナ送信部112付近に図示しない近接センサーを設けておき、タッチパネル検出部114によって手で保持されていることが判断し、近接センサーにて物体が近接していることが分かった場合、ステップS107、ステップS117にてチャンネル変更を行う。
【００４５】
チャンネルの設定方法を、図７のテーブル表を用いて説明する。
【００４６】
図７は、保持方法と鏡筒状態による有利なチャンネルの一覧表である。図７のような表を記憶媒体、例えばＲＯＭに記憶しておき、保持方法、鏡筒状態によって、有利なチャンネルを選択する。撮像装置同士で無線通信を行っている場合は、最右列の優先度によって設定する通信チャンネルを決定する。なぜなら、機種毎に手の保持による影響が大きい機種に合わせるように周波数を決定するためである。
【００４７】
ステップS107、ステップS117で制御部111が、無線送受信部112の通信無線のチャンネルを、デジタルカメラの有利なチャンネルへ変更する。例えば、図３（ｃ）のように、手で保持したときに有利なチャンネルが５チャンネルの場合、通信チャンネルを５チャンネルへ変更する（ステップＳ107）。
【００４８】
以上が本発明を実施するためのフローチャートと判定方法である。
以上、本発明の好ましい実施形態について説明したが、本発明はこれらの実施形態に限定されず、その要旨の範囲内で種々の変形及び変更が可能である。
【符号の説明】
【００４９】
111  制御部
112  無線送受信部
113  ボタン操作部
114  タッチパネル検知部
131  鏡筒部
141  近接距離測定手段
【図１】
2014171143.tif 000003
【図２】
2014171143.tif 000004
【図３】
2014171143.tif 000005
【図４】
2014171143.tif 000006
【図５】
2014171143.tif 000007
【図６】
2014171143.tif 000008
【図７】
2014171143.tif 000009